(57)【要約】【課題】調理を行っていない時に消費される電力を削減する加熱調理装置である。【解決手段】ドア１０６を開くと、トランジスタ２０３がオンしてリレー２０２の接点が閉じ、商用電源１０２から電源回路１０３へ電力が供給されて制御回路１０４が起動する。起動した制御回路はトランジスタのオン状態を保持する信号を出力してリレーが閉じた状態を維持し、ドアの開閉状態に関係なく商用電源から電源回路１０３へ電力供給を継続させる。ドアが閉じている状態を制御回路が検知して何の調理動作も行われない状態が予め設定した時間経過すると、制御回路はトランジスタ２０３のオン状態の保持を停止する。するとリレーが開いて商用電源から電源回路への電力供給が遮断され制御回路は停止する。電源回路２０１を除き、殆どの部分に電力が供給されていないため、省電力化できる。【選択図】  図１
2004183976.tif 000002
【特許請求の範囲】
【請求項１】
電源から電力を供給される第１の電力供給手段と、開閉により前記電源を前記第１の電力供給手段に供給および遮断する電力開閉手段と、食品を加熱する加熱手段と、前記第１の電力供給手段より電力を供給されて前記加熱手段を制御する加熱手段制御手段と、食品を出し入れする加熱室のドアの開閉を検知するドア開閉検知手段と、前記第１の電力供給手段より電力を供給され、かつ前記ドア開閉検知手段からの信号を受信し、前記電力開閉手段を制御する信号を発生するドア開閉検知信号発生手段とを備え、前記電力開閉手段は前記ドア開閉検知手段からのドア開の信号により閉成し、かつ前記ドア開閉検知信号発生手段は、前記電力開閉手段が閉じた状態を保持される信号を出力するとともに、前記ドア開閉検知手段からのドア閉の信号を受信すると、予め設定した時間経過後に前記電力開閉手段が閉じた状態を保持される信号の出力を停止する構成にしたことを特徴とする加熱調理装置。
【請求項２】
電源から電力を供給される第１の電力供給手段と、開閉により前記電源を前記第１の電力供給手段に供給および遮断する電力開閉手段と、食品を加熱する加熱手段と、前記第１の電力供給手段より電力を供給されて前記加熱手段を制御する加熱手段制御手段と、食品を出し入れする加熱室のドアの開閉を検知するドア開閉検知手段と、前記第１の電力供給手段より電力を供給されて前記ドア開閉検知手段からの信号に応じて予め決められた信号を発生するドア開閉検知信号発生手段と、前記ドア開閉検知信号発生手段からの信号または前記ドア開閉検知手段からの信号によって前記電力開閉手段を開閉する電力開閉手段駆動手段と、電源から電力を供給されて前記電力開閉手段駆動手段に電力を供給する第２の電力供給手段とを備え、前記ドアを開くと前記ドア開閉検知手段からの信号によって前記電力開閉手段が閉じて前記第１の電力供給手段に電源から電力が供給され前記加熱手段制御手段と前記ドア開閉検知信号発生手段が駆動し、前記ドア開閉検知信号発生手段からの信号で前記電力開閉手段が閉じた状態に保持され、前記ドアを閉じると前記ドア開閉検知信号発生手段が予め設定した時間経過後に信号を発生し前記電力開閉手段を開き前記第１の電力供給手段への電源からの電力供給を遮断することを特徴とする加熱調理装置。
【請求項３】
前記ドア開閉検知信号発生手段は、前記ドアが開いてから予め設定した時間経過後に前記電力開閉手段が閉じた状態を保持する信号を発生する構成にしたことを特徴とする請求項１または請求項２記載の加熱調理装置。
【請求項４】
前記第１の電力供給手段より電力を供給されて商用電源の周波数を検知する周波数検知手段を備え、前記ドア開閉検知信号発生手段は前記電源の周波数を検知するまでは、前記電力開閉手段が閉じた状態を保持する信号を発生しないように構成したことを特徴とする請求項１または請求項２記載の加熱調理装置。
【請求項５】
アノードが前記ドア開閉検知手段からの信号出力側に接続され、カソードが前記ドア開閉検知信号発生手段の入力側に接続された第１のダイオードと、アノードが前記第１のダイオードのアノードに接続され、カソードが前記ドア開閉検知信号発生手段の電源と同電位に接続された第２のダイオードを備えた請求項１または請求項２記載の加熱調理装置。
【請求項６】
請求項１から請求項５のいずれか１項記載の加熱調理装置の全てもしくは一部としてコンピュータを機能させるプログラム。
【発明の詳細な説明】
【０００１】
【発明の属する技術分野】
本発明は、電子レンジなどの加熱調理装置に関するものである。
【０００２】
【従来の技術】
従来、電子制御回路を備えた加熱調理装置は、調理を行っていない場合でも制御回路の大部分に電力が供給されていた（例えば、特許文献１参照）。図４は、前記特許文献１に記載された従来の加熱調理装置を示すものである。
【０００３】
図４において、加熱調理装置１０１の第１の電力供給手段としての電源回路１０３は、商用電源１０２からの電力で加熱手段制御手段としての制御回路１０４の電源を作っている。加熱手段としてマグネトロンまたは電気ヒーターなどで構成された加熱部１０５は、電源回路１０３からの信号によって制御され、食品を加熱調理する。
【０００４】
【特許文献１】
実開昭５５−１１６４号公報（第１−２頁、第３図）
【０００５】
しかしながら、前記従来の構成では、調理を行っていないときでも電源回路１０３や制御回路１０４が動作しており、無駄な電力を消費するという問題を有していた。
【０００６】
【発明が解決しようとする課題】
上記従来の技術の問題点に鑑み、本発明が解決しようとする課題は、省電力化した加熱調理装置を提供することである。
【０００７】
【課題を解決するための手段】
上記目的を達成するために、本発明の加熱調理装置は、開閉により電源を第１の電力供給手段に供給および遮断する電力開閉手段と、加熱手段に電力を供給する第１の電力供給手段より電源を供給され、かつ加熱室のドア開閉を検知するドア開閉検知手段からの信号を受信し、第１の電力供給手段を電源に接続する電力開閉手段を制御する信号を発生するドア開閉検知信号発生手段とを備え、そして電力開閉手段はドア開閉検知手段からのドア開の信号により閉成し、ドア開閉検知信号発生手段は電力開閉手段が閉じた状態を保持される信号を出力するとともに、ドア開閉検知手段からのドア閉の信号を受信して、予め設定した時間経過後に電力開閉手段が閉じた状態を保持される信号の出力を停止する構成にしたものである。
【０００８】
また本発明の加熱調理装置は、電源から電力を供給される第１の電力供給手段と、開閉により前記電源を第１の電力供給手段に供給および遮断する電力開閉手段と、食品を加熱する加熱手段と、第１の電力供給手段より電力を供給されて加熱手段を制御する加熱手段制御手段と、食品を出し入れする加熱室のドアの開閉を検知するドア開閉検知手段と、第１の電力供給手段より電力を供給されてドア開閉検知手段からの信号に応じて予め設定した信号を発生するドア開閉検知信号発生手段と、ドア開閉検知信号発生手段からの信号またはドア開閉検知手段からの信号によって電力開閉手段を開閉する電力開閉手段駆動手段と、電源から電力を供給されて電力開閉手段駆動手段に電力を供給する第２の電力供給手段とを備え、ドアを開くとドア開閉検知手段からの信号によって電力開閉手段が閉じて第１の電力供給手段に電源から電力が供給され加熱手段制御手段とドア開閉検知信号発生手段が駆動し、ドア開閉検知信号発生手段からの信号で電力開閉手段が閉じた状態が保持され、ドアを閉じるとドア開閉検知信号発生手段が予め設定した時間経過後に信号を発生し電力開閉手段を開き第１の電力供給手段への電源からの電力供給を遮断するものである。
【０００９】
上記手段によって、加熱調理装置が調理を行っていないときの消費電力を省電力化することができる。
【００１０】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１１】
請求項１記載に係る発明は、電源から電力を供給される第１の電力供給手段と、開閉により電源を前記第１の電力供給手段に供給および遮断する電力開閉手段と、食品を加熱する加熱手段と、前記第１の電力供給手段より電力を供給されて前記加熱手段を制御する加熱手段制御手段と、食品を出し入れする加熱室のドアの開閉を検知するドア開閉検知手段と、加熱手段に電力を供給する第１の電力供給手段より電源を供給され、かつ加熱室のドア開閉を検知するドア開閉検知手段からの信号を受信し、第１の電力供給手段を電源に接続する電力開閉手段を制御する信号を発生するドア開閉検知信号発生手段とを備え、そして電力開閉手段はドア開閉検知手段からのドア開の信号により閉成し、かつドア開閉検知信号発生手段は電力開閉手段が閉じた状態を保持される信号を出力するとともに、ドア開閉検知手段からのドア閉の信号を受信すると、予め設定した時間経過後に電力開閉手段が閉じた状態を保持される信号の出力を停止する構成にしたものである。
【００１２】
請求項２記載に係る発明は、電源から電力を供給される第１の電力供給手段と、開閉により前記電源を第１の電力供給手段に供給および遮断する電力開閉手段と、食品を加熱する加熱手段と、第１の電力供給手段より電力を供給されて加熱手段を制御する加熱手段制御手段と、食品を出し入れする加熱室のドアの開閉を検知するドア開閉検知手段と、第１の電力供給手段より電力を供給されてドア開閉検知手段からの信号に応じて予め設定した信号を発生するドア開閉検知信号発生手段と、ドア開閉検知信号発生手段からの信号またはドア開閉検知手段からの信号によって電力開閉手段を開閉する電力開閉手段駆動手段と、電源から電力を供給されて電力開閉手段駆動手段に電力を供給する第２の電力供給手段とを備え、前記ドアを開くと前記ドア開閉検知手段からの信号によって前記電力開閉手段が閉じて前記第１の電力供給手段に電源から電力が供給され前記加熱手段制御手段と前記ドア開閉検知信号発生手段が駆動し、前記ドア開閉検知信号発生手段からの信号で前記電力開閉手段が閉じた状態を保持され、前記ドアが閉じると前記ドア開閉検知信号発生手段が予め設定した時間経過後に信号を発生し前記電力開閉手段を開き、前記第１の電力供給手段への電源からの電力供給を遮断するものである。
【００１３】
上記各実施の形態によれば、加熱調理装置を使用していないときは前記第１の電力供給手段に給電されないため、加熱調理装置を使用していないときの消費電力を削減することができる。
【００１４】
請求項３記載に係る発明は、請求項１または請求項２記載において、ドアが開いてから予め設定した時間経過後にドア開閉検知信号発生手段から前記電力開閉手段を閉じた状態に保持する信号を発生するもので、ドアが開いてから加熱手段制御手段とドア開閉検知信号発生手段への電力供給が保持されるまでの時間を加熱調理器の使用に支障がない範囲で長くすることで、不用意なドア開閉による加熱手段制御手段とドア開閉検知信号発生手段の起動を防ぐことができ、更に、加熱手段制御手段またはドア開閉検知信号発生手段が電圧比較によるリセット回路を内蔵している場合、電力開閉手段が開いたときの負荷変動による第１の電源供給手段の出力電圧上昇によって起こり得る加熱手段制御手段とドア開閉検知信号発生手段の誤起動を防ぐことができる。
【００１５】
請求項４記載に係る発明は、請求項１または請求項２記載において、第１の電力供給手段より電力を供給されて電源の周波数を検知する周波数検知手段を備え、電源の周波数を検知するまでは、ドア開閉検知信号発生手段から電力開閉手段が閉じた状態を保持する信号を発生しないように構成したものである。
【００１６】
上記実施の形態によれば、ドアが開いてから電源の周波数が周波数検知手段を通して検知されるまで加熱手段制御手段とドア開閉検知信号発生手段への電力供給を行わないことで、加熱手段制御手段またはドア開閉検知信号発生手段が電圧比較によるリセット回路を内蔵している場合、電力開閉手段が開いたときの負荷変動による第１の電力供給手段の出力電圧上昇によって起こり得る加熱手段制御手段とドア開閉検知信号発生手段の誤起動を防ぐことができる。
【００１７】
請求項５記載に係る発明は、請求項１または請求項２記載において、アノードがドア開閉検知手段からの信号出力側に、カソードがドア開閉検知信号発生手段の入力側にそれぞれ接続された第１のダイオードと、アノードが第１のダイオードのアノードに、カソードがドア開閉検知手段の電源と同電位にそれぞれ接続された第２のダイオードを備えたものである。
【００１８】
上記実施の形態によれば、ドア開閉検知信号発生手段を構成するマイクロコンピュータ（以下、マイコンという）にドア閉の信号をハイの信号として検知させる場合、電源電圧が変動するとマイコンがハイとして検知する電圧も変動するが、第２のダイオードがドア開閉検知信号発生手段の電源電圧と同電位に接続されているため確実にハイとして検知させることができ、電力開閉手段が開いたときの電圧変動に対しても、より安定した電源遮断回路を構成できる。
【００１９】
【実施例】
以下本発明の実施例について、図面を参照しながら説明する。
【００２０】
（実施例１）
図１は、本発明の実施例１における加熱調理装置を示すブロック図である。本実施例において、従来の技術の図４と同じ構成要素については同じ符号を付して説明する。
【００２１】
図１において、加熱調理装置１０１の第１の電力供給手段としての電源回路１０３は、電源としての商用電源１０２からの電力で加熱手段制御手段としての制御回路１０４の電源を作っている。加熱手段としてマグネトロンまたは電気ヒーターなどで構成された加熱部１０５は、電源回路１０３からの信号によって制御され、食品を加熱調理する。
【００２２】
加熱調理装置１０１の第２の電力供給手段としての電源回路２０１は、商用電源１０２からの電力によって電力開閉手段駆動手段としてのトランジスタ２０３に電力供給を行う。電力開閉手段としてのリレー２０２は、商用電源１０２から電源回路１０３への電力の供給および遮断を行う。
【００２３】
スイッチ２０４は、加熱室１０７のドア１０６の開閉に連動し、ドア１０６が開いている時はトランジスタ２０３のベースに接続している接点２０４ａと接点２０４ｃが短絡し、ドア１０６が閉じている時は制御手段１０４の出力側に接続している接点２０４ｂと接点２０４ｃが短絡する。
【００２４】
加熱手段制御手段およびドア開閉検知信号発生手段としての制御回路１０４はマイコンおよびその周辺回路から構成され、電源回路１０３からの電力で動作し、加熱部１０５の制御およびドア開閉検知手段としてのスイッチ２０４からの信号検知とトランジスタ２０３を動作させる信号出力を行う。
【００２５】
すなわち、制御回路１０４は調理物を加熱室１０７に入れるためドア１０６を開くとスイッチ２０４からの信号によってリレー２０２が閉じて商用電源１０２から電力が供給された電源回路１０３により駆動し、端子１０４ａからトランジスタ２０３に信号を印加してリレー２０２を閉じた状態に保持し、次にドア１０６を閉じて加熱指示を行い調理に入るのが通常であるが、何らかの理由でドア１０４を閉じてそのままにされると、スイッチ２０４からの信号によってカウントを開始し、予め設定した時間経過後に端子１０４ａからトランジスタ２０３に印可している信号を停止し、リレー２０２を開き電源回路１０３への商用電源１０２からの電力供給を遮断し、無駄な電力消費を削減するもので、前記した制御を実行するためのプログラムを格納している。
【００２６】
上記実施例において、ドア１０６を閉じた状態で商用電源１０２に加熱調理装置１０１を接続した状態では、スイッチ２０４は接点２０４ｂと接点２０４ｃが短絡し、接点２０４ａは開放しているのでトランジスタ２０４はオンせず、従ってリレー２０２の接点は開いているので電源回路１０３へ電力は供給されない。
【００２７】
しかし、加熱調理などの目的で加熱室１０７のドア１０６を開くとスイッチ２０４は、接点２０４ａと接点２０４ｃが短絡するためトランジスタ２０３がオンして電源回路２０１から電力がトランジスタ２０３を介してリレー２０２に供給されてリレー２０２の接点が閉じ、一方、商用電源１０２に接続された電源回路１０３には、商用電源１０２の電力が供給されて制御回路１０４が起動する。起動した制御回路１０４はトランジスタ２０３のオン状態を保持する信号を端子１０４ａよりトランジスタ２０３のベースに印加してオンとし、電源回路２０１から電力を供給し続けられるリレー２０２は閉じた状態を維持し、ドア１０６の開閉状態に関係なく商用電源１０２から電源回路１０３へ電力供給を継続させる。そして、通常は加熱室１０７に調理物を入れ、ドア１０６を閉じて加熱指示を取り込んだ制御回路１０４により加熱部１０５が動作して調理を行う。
【００２８】
ところが、ドア１０６を閉じてそのまま放置されるなどすると、制御回路１０４はドア１０６が閉じてスイッチ２０４の接点２０４ｂと接点２０４ｃが短絡していることを検知した状態で何の調理動作も行われない状態が予め設定した時間継続すると、端子１０４ａからのトランジスタ２０３のオン状態を保持する信号の出力を停止する。従って、トランジスタ２０３がオフしリレー２０２が開いて商用電源１０２から電源回路１０３への電力供給が遮断され制御回路１０４は停止する。
【００２９】
このように本実施例によれば、加熱調理装置１０１を使用していない時、商用電源１０２には電源回路２０１しか接続されていないため、例えば電源回路２０１を構成するトランスとして無負荷時の消費電力が小さなものを使用することで、加熱調理装置１０１を使用していない時の消費電力を省電力化できる。すなわち、一般に電源トランスは無負荷時の消費電力を少なくしようとすると負荷特性が悪化するが、第２の電源供給手段としての電源回路２０１の負荷は電力開閉手段としてリレー２０２のみなので、容易に無負荷時の消費電力が少ないトランスを設計することができる。
【００３０】
また、制御回路１０４はドア１０６が開いてからトランジスタ２０３のオン状態を保持する信号を端子１０４ａより出力するまでの予め設定した時間を加熱調理器の使用に支障がない範囲で長くする、すなわち、ドアが開いてから加熱手段制御手段とドア開閉検知信号発生手段への電力供給が保持されるまでの時間を加熱調理器の使用に支障がない範囲で長くすることで、不用意なドア開閉による制御回路１０４の無駄な起動を防ぐことができる。
【００３１】
更に、制御回路１０４は電源回路１０３の電圧比較によるリセット回路を内蔵している場合、電源回路１０３への電力供給遮断時の負荷変動による電源回路１０３の出力電圧上昇によって起こり得る制御回路１０４の誤起動を防ぐことができ、更なる省電力化ができる。
【００３２】
（実施例２）
図２は、本発明の実施例２における加熱調理装置を示すブロック図である。図２において、図１および図４と同じ構成要素並びに作用効果を奏する部分には同じ符号を付して詳細な説明を省略し、異なるところを中心に説明する。
【００３３】
周波数検知手段としての周波数検知回路３０１は、入力側を電源回路１０３に、出力側を制御手段１０４にそれぞれ接続し、電源回路１０３へ供給される電力の周波数の情報を制御回路１０４に伝達する。制御回路１０４は、ドア１０６が開いてから商用電源１０２の周波数が、格納してある判断基準に一致する時間までトランジスタ２０３のオン状態を保持する信号を端子１０４ａより出力しない構成にしてある。
【００３４】
上記実施例において、ドア１０６を閉じた状態で加熱調理装置１０１を商用電源１０２に接続した状態では、スイッチ２０４は接点２０４ｂと接点２０４ｃが短絡し、接点２０４ａは開放しているのでトランジスタ２０４はオンせず、従って、リレー２０２の接点は開いているので電源回路１０３へ電力は供給されない。
【００３５】
しかし、調理物を加熱する目的などで加熱室１０７のドア１０６を開くと、スイッチ２０４は接点２０４ａと接点２０４ｃが短絡するためトランジスタ２０３がオンして電源回路２０１から電力がトランジスタ２０３を介してリレー２０２に供給されてリレー２０２の接点が閉じ、一方、商用電源１０２に接続された電源回路１０３には、商用電源１０２から電力が供給されて制御回路１０４と周波数検知回路３０１が起動する。
【００３６】
起動した周波数検知回路３０１は、電源回路１０３へ供給される電力の周波数の情報を制御回路１０４に伝達する。制御回路１０４は周波数検知回路３０１からの周波数の情報が予め決めておいた判断基準に一致した場合に端子１０４ａより信号をトランジスタ２０３のベースに印加してトランジスタ２０３のオン状態を保持し、電源回路２０１から電力を供給し続けられるリレー２０２は閉じた状態を維持し、ドア１０６の開閉状態に関係なく商用電源１０２から電源回路１０３へ電力供給を継続させる。そして、通常は加熱室１０７に調理物を入れ、ドア１０６を閉じて加熱指示を取り込んだ制御回路１０４により加熱部１０５が動作して調理を行う。
【００３７】
ところが、ドア１０６を閉じてそのまま放置されるなどすると、スイッチ２０４の接点２０４ｂと接点２０４ｃが短絡している状態を検知した制御回路１０４は、何の調理動作も行われない状態が予め設定した時間が経過すると、端子１０４ａからのトランジスタ２０３のオン状態を保持する信号の出力を停止する。従って、トランジスタ２０３がオフしてリレー２０２が開いて商用電源１０２から電源回路１０３への電力供給が遮断され制御回路１０４は停止する。
【００３８】
このように本実施例によれば、加熱調理装置１０１を使用していない時に商用電源１０２には電源回路２０１しか接続されていないため、例えば電源回路２０１を構成するトランスとして無負荷時の消費電力が小さなものを使用することで、加熱調理装置１０１を使用していない時の消費電力を省電力化できる。
【００３９】
また、加熱手段制御手段およびドア開閉検知信号発生手段としての制御回路１０４は、ドア１０６が開いてから商用電源１０２の周波数が判断基準と一致するまでトランジスタ２０３のオン状態を保持する信号を端子１０４ａより出力しないので、すなわち、ドアが開いてから商用電源の周波数が周波数検知手段を通して検知されるまで加熱手段制御手段とドア開閉検知信号発生手段への電力供給を行わないことで、制御回路１０４が電源回路１０３の電圧比較によるリセット回路を内蔵している場合の電源回路１０３への電力供給遮断時の負荷変動による電源回路１０３の出力電圧上昇によって起こり得る制御回路１０４の誤起動を防ぐことができる。
【００４０】
（実施例３）
図３は、本発明の実施例３における加熱調理装置を示すブロック図である。図３において、図１および図２、図４と同じ構成要素並びに作用効果を奏する部分には同じ符号を付して詳細な説明を省略し、異なるところを中心に説明する。
【００４１】
スイッチ２０４の開閉検知手段としてのトランジスタ４０１は、エミッタを電源回路１０３に、コレクタを加熱部１０５に、ベースをスイッチ２０４の接点２０４ｂにそれぞれ接続している。第１のダイオード４０４は、アノードが抵抗４０２を介してトランジスタ４０１のコレクタに、カソードが制御回路１０４の入力側にそれぞれ接続されている。
【００４２】
第２のダイオード４０３は、アノードが第１のダイオード４０４のアノードに、カソードが制御回路１０４の電源と同電位に制御回路１０４の入力側にそれぞれ接続され、電源回路１０３の出力端１０３ａからの出力電圧が制御回路１０４の電圧より高い場合に制御回路１０４に必要以上の高い電圧が伝達されないように保護するものである。
【００４３】
上記実施例において、ドア１０６を閉じた状態で加熱調理装置１０１を商用電源１０２に接続した状態では、スイッチ２０４は接点２０４ｂと接点２０４ｃが短絡し、接点２０４ａは開放しているのでトランジスタ２０３はオンせず、従って電源回路２０１から電力の供給されないリレー２０２は接点を開いているので電源回路１０３には商用電源１０２から電力が供給されない。
【００４４】
しかし、調理物を加熱する目的などで加熱室１０７のドア１０６を開くとスイッチ２０４は、接点２０４ａと接点２０４ｃが短絡するためトランジスタ２０３がオンする。そして、トランジスタ２０３を介して電源回路２０１から電力の供給されたリレー２０２は接点を閉じ、商用電源１０２から電源回路１０３へ電力が供給されて制御回路１０４が起動する。
【００４５】
起動した制御回路１０４は、トランジスタ２０３のオン状態を保持する信号を端子１０４ａより出力し、電源回路２０１から電力の供給し続けられたリレー２０２は閉じた状態を維持し、ドア１０６の開閉状態に関係なく商用電源１０２から電源回路１０３へ電力供給を継続させる。そして、通常は加熱室１０７に調理物を入れ、ドア１０６を閉じて加熱指示を取り込んだ制御回路１０４により加熱部１０５が動作して調理を行う。
【００４６】
ところが、ドア１０６を閉じてそのまま放置されるなどすると、ドア１０６が閉じてスイッチ２０４の接点２０４ｂと接点２０４ｃが短絡すると、トランジスタ４０１がオンして電源回路１０３の出力端１０３ａからの出力がトランジスタ４０１を介して抵抗４０２と第１のダイオード４０４を経由して制御回路１０４にドア閉の信号として伝達される。
【００４７】
そして、制御回路１０４はドア１０６が閉じたことを検知するが、その状態で何の調理動作も行われない状態が予め設定した時間が経過すると、端子１０４ａからのトランジスタ２０３のオン状態を保持する信号の出力を停止する。リレー２０２はトランジスタ２０３のオフで電源回路２０１からの電力供給がなくなり、接点を開いて商用電源１０２から電源回路１０３への電力供給を遮断し、制御回路１０４は動作を停止する。
【００４８】
一方、第２のダイオード４０３は、電源回路１０３の出力端１０３ａからの出力電圧が制御回路１０４の電圧より高い場合に制御回路１０４に必要以上の高い電圧が伝達されないように保護するのである。
【００４９】
このように本実施例によれば、加熱調理装置１０１を使用していない時に商用電源１０２には電源回路２０１しか接続されていないため、例えば電源回路２０１を構成するトランスとして無負荷時の消費電力が小さなものを使用することで、加熱調理装置１０１を使用していない時の消費電力を省電力化できる。
【００５０】
また、一般にマイコンを使って制御を行っている加熱調理装置はマイコンの誤動作を考慮する上で、ドア１０６が開いた場合はマイコンの動作に関係なくヒーターやマグネトロンなどの加熱手段を停止するように構成されているため、加熱部１０５への電力の供給遮断とドア開閉信号を兼ねてトランジスタ４０１のように構成される場合がある。
【００５１】
そして、ドア開閉信号を第２のダイオード４０３、第１のダイオード４０４の構成で伝達すると、ドア閉の信号をドア開閉検知信号発生手段としての制御回路１０４内のマイコンにハイの信号として検知させる場合、電源電圧が変動するとマイコンがハイとして検知する電圧も変動するが、第２のダイオード４０３が制御回路１０４の電源電圧と同電位に接続されているため確実にハイとして検知させることができ、電力開閉手段としてのリレー２０２により電源回路１０３への電力供給が遮断されたときの電圧変動に対してもより安定した電源遮断回路を構成できる。
【００５２】
なお、上記各実施例ではリレー２０２に電力を供給する電源回路２０１を接続および遮断するのにトランジスタ２０３を使用したが、電源回路２０１を直接に制御してリレー２０２に接続および遮断できるように構成しても本発明と同様の作用効果を期待できる。また、制御回路１０４は加熱手段制御手段とドア開閉検知信号発生手段を兼ねた一体構成にしているが、別々に構成しても本実施例と同じ作用効果を期待できる。
【００５３】
【発明の効果】
以上のように本発明によれば、加熱調理を行っていないときは加熱調理装置の殆どの部分に電力が供給されていないため、省電力化できる。
【図面の簡単な説明】
【図１】本発明の実施例１における加熱調理装置を示すブロック図
【図２】同実施例２における加熱調理装置を示すブロック図
【図３】同実施例３における加熱調理装置を示すブロック図
【図４】従来の加熱調理装置を示すブロック図
【符号の説明】
１０２  商用電源（電源）
１０３  電源回路（第１の電力供給手段）
１０４  制御回路（加熱手段制御手段およびドア開閉検知信号発生手段）
１０５  加熱部（加熱手段）
２０１  電源回路（第２の電力供給手段）
２０２  リレー（電力開閉手段）
２０３  トランジスタ（電力開閉手段駆動手段）
２０４  スイッチ（ドア開閉検知手段）
３０１  周波数検知回路（周波数検知手段）
４０１  トランジスタ（開閉検知手段）
４０３  第２のダイオード
４０４  第１のダイオード
【図１】
2004183976.tif 000003
【図２】
2004183976.tif 000004
【図３】
2004183976.tif 000005
【図４】
2004183976.tif 000006